(57)【要約】    一旦無効にされて、無効を示す有効性情報が書き込まれたＩＣカード３の再使用を容易にする。端末装置はリスト記憶手段と記録手段とを備える。リスト記憶手段は、識別子、有効または無効を示す有効性情報、および、設定値を格納する記録媒体の無効回数特定値と識別子とを対応付けたホワイトリストを格納する。記録手段は、記録媒体から読み出された識別子に対応する無効回数特定値をホワイトリストから読み出し、記録媒体から読み出された設定値と比較し、設定値と無効回数特定値が等しい場合には、有効を示す有効性情報を記録媒体に格納する有効化処理と所定処理を実行する。
2015037192.tif 000002
【特許請求の範囲】
【請求項１】
識別子、有効または無効を示す有効性情報、および、設定値を格納する記録媒体の無効回数特定値と前記識別子とを対応付けたホワイトリストを格納するリスト記憶手段と、
前記記録媒体から読み出された前記識別子に対応する前記無効回数特定値を前記ホワイトリストから読み出し、前記記録媒体から読み出された前記設定値と比較し、前記設定値と前記無効回数特定値が等しい場合には、有効を示す前記有効性情報を前記記録媒体に格納する有効化処理と所定処理を実行する記録手段と、を備える端末装置。
【請求項２】
前記記録手段は、前記設定値と前記無効回数特定値が等しくない場合には、前記有効化処理を実行せず、前記記録媒体の有効性情報に基づき前記所定処理を実行する請求項１の端末装置。
【請求項３】
前記リスト記憶手段は、さらに、前記記録媒体の前記無効回数特定値と前記識別子とを対応付けたブラックリストを包含し、
前記記録手段は、
前記記録媒体から読み出された前記識別子に対応する前記無効回数特定値を、前記ブラックリストから読み出し、前記記録媒体から読み出された前記設定値と比較し、当該設定値が当該無効回数特定値より小さければ、前記記録媒体に格納された前記設定値を前記無効回数特定値で更新し、無効を示す前記有効性情報を前記記録媒体に格納する無効化処理を実行し、または、
前記記録媒体から読み出された前記識別子に対応する前記無効回数特定値を、前記ホワイトリストから読み出し、前記記録媒体から読み出された前記設定値と比較し、当該設定値が当該無効回数特定値より大きければ、前記有効化処理を実行せず、前記記録媒体の有効性情報に基づき前記所定処理を実行する、請求項２の端末装置。
【請求項４】
無効にされた前記記録媒体の前記識別子を取得し、当該識別子と前記無効回数特定値とを対応付けて前記ブラックリストの原本に追加し、
有効にされた前記記録媒体の前記識別子を取得して、当該識別子と前記無効回数特定値とを対応付けて前記ホワイトリストの原本に追加し、前記ブラックリストおよび前記ホワイトリストの原本を配信するサーバ装置に接続され、
前記サーバ装置から配信された前記ブラックリストおよびホワイトリストを受信して、前記リスト記憶手段に格納する受信手段を、更に備える、請求項３に記載の端末装置。
【請求項５】
前記記録手段は、前記記録媒体から読みとられた前記有効性情報に基づき、有効であれば前記所定処理を実行し、無効であれば実行しない、請求項１乃至４の何れかに記載の端末装置。
【請求項６】
記録媒体から読み出された識別子に対応する無効回数特定値を、記憶するホワイトリストから読み出し、前記記録媒体から読み出された設定値と比較し、前記設定値と前記無効回数特定値が等しい場合には、有効を示す前記有効性情報を前記記録媒体に格納する有効化処理と所定処理を実行する端末装置に接続され、
無効にされた前記記録媒体の前記識別子対応に前記無効回数特定値を格納する無効回数記憶手段と、
前記ホワイトリストの原本、および、前記記録媒体の前記無効回数特定値と前記識別子とを対応付けたブラックリストの原本を格納するリストマスタ記憶手段と、
無効にされた前記記録媒体の前記識別子を入力されると、入力された前記識別子対応に前記無効回数記憶手段に格納されている前記無効回数特定値を進めて、進められた値を、入力された前記識別子に対応する前記無効回数特定値として、前記ブラックリストの原本に追加し、
有効に戻された前記記録媒体の前記識別子を入力されると、入力された前記識別子対応の前記無効回数特定値を、前記ホワイトリストの原本に追加する追加手段と、
前記ホワイトリストの原本を前記端末装置に配信するリスト配信手段と、を備えるサーバ装置。
【請求項７】
識別子、有効または無効を示す有効性情報、および、設定値を格納する記録媒体の無効回数特定値と前記識別子とを対応付けたホワイトリストを記憶し、
前記記録媒体から読み出された前記識別子に対応する前記無効回数特定値を前記ホワイトリストから読み出し、前記記録媒体から読み出された前記設定値と比較し、前記設定値と前記無効回数特定値が等しい場合には、有効を示す前記有効性情報を前記記録媒体に格納する有効化処理と所定処理を実行する、方法。
【請求項８】
前記設定値と前記無効回数特定値が等しくない場合には、前記有効化処理を実行せず、前記記録媒体の有効性情報に基づき前記所定処理を実行する請求項７の方法。
【請求項９】
さらに、前記記録媒体の前記無効回数特定値と前記識別子とを対応付けたブラックリストを記憶し、
前記記録媒体から読み出された前記識別子に対応する前記無効回数特定値を、前記ブラックリストから読み出し、前記記録媒体から読み出された前記設定値と比較し、当該設定値が当該無効回数特定値より小さければ、前記記録媒体に格納された前記設定値を前記無効回数特定値で更新し、無効を示す前記有効性情報を前記記録媒体に格納する無効化処理を実行し、または、
前記記録媒体から読み出された前記識別子に対応する前記無効回数特定値を、前記ホワイトリストから読み出し、前記記録媒体から読み出された前記設定値と比較し、当該設定値が当該無効回数特定値より大きければ、前記有効化処理を実行せず、前記記録媒体の有効性情報に基づき前記所定処理を実行する、請求項８の方法。
【請求項１０】
無効にされた前記記録媒体の前記識別子を取得し、当該識別子と前記無効回数特定値とを対応付けて前記ブラックリストの原本に追加し、
有効にされた前記記録媒体の前記識別子を取得して、当該識別子と前記無効回数特定値とを対応付けて前記ホワイトリストの原本に追加し、前記ブラックリストおよび前記ホワイトリストの原本を配信するサーバ装置から配信された前記ブラックリストおよびホワイトリストを受信して、記憶する、請求項９に記載の方法。
【請求項１１】
前記記録媒体から読みとられた前記有効性情報に基づき、有効であれば前記所定処理を実行し、無効であれば実行しない、請求項７乃至１０の何れかに記載の方法。
【請求項１２】
記録媒体から読み出された識別子に対応する無効回数特定値を、記憶するホワイトリストから読み出し、前記記録媒体から読み出された設定値と比較し、前記設定値と前記無効回数特定値が等しい場合には、有効を示す前記有効性情報を前記記録媒体に格納する有効化処理と所定処理を実行する端末装置と接続し、
無効にされた前記記録媒体の前記識別子対応に前記無効回数特定値を無効回数記憶手段に記憶し、
前記ホワイトリストの原本、および、前記記録媒体の前記無効回数特定値と前記識別子とを対応付けたブラックリストの原本を記憶し、
無効にされた前記記録媒体の前記識別子を入力されると、入力された前記識別子対応に前記無効回数記憶手段に格納されている前記無効回数特定値を進めて、進められた値を、入力された前記識別子に対応する前記無効回数特定値として、前記ブラックリストの原本に追加し、
有効に戻された前記記録媒体の前記識別子を入力されると、入力された前記識別子対応の前記無効回数特定値を、前記ホワイトリストの原本に追加し、
前記ホワイトリストの原本を前記端末装置に配信する、方法。
【請求項１３】
コンピュータに、請求項７乃至１２の何れかに記載の方法を実行させるプログラムを記憶した記録媒体。
【発明の詳細な説明】
【技術分野】
【０００１】
本発明は、有効性制御のための端末装置、サーバ装置、方法、および、プログラム記録媒体、特に、ホワイトリストを用いて、クレジットカード等の有効、無効を制御する、端末装置、サーバ装置、方法、および、プログラム記録媒体に関する。
【背景技術】
【０００２】
特許文献１は、商品やサービスの購入に、不正に使用されたクレジットカードに使用停止の処理を実行するシステムを開示する。ここで、使用停止の処理は、カードに書き込まれている情報の一部を破壊する、カードに間違った情報を書き込む、カードに使用できないこと（無効）を示すフラグをたてる処理である。【０００３】
先ず、このシステムのホストコンピュータは、クレジット会社会員のクレジットカードのブラックリストを含む情報をカード情報として出力する。ブラックリストは、無効なカードの一覧である。加盟店の端末コンピュータは、当該情報を受信して記憶し、カードリーダに入力されたクレジットカードがブラックリストに記載されていればカード利用停止の処理を実行する。【０００４】
このシステムに於いて、ホストコンピュータは、全てのカード会員の情報を定期的または不定期に送信する。加盟店が、基礎的なカード情報を保有している場合、クレジットカードが有効から無効に、無効から有効に転じたときの情報のみを送信し、加盟店で基礎的な情報の更新を行う。
【先行技術文献】
【特許文献】
【０００５】
【特許文献１】特開平１１−１４３９４９号公報
【発明の概要】
【発明が解決しようとする課題】
【０００６】
特許文献１に記載されたシステムで使用停止の処理をされたクレジットカードは、簡単に再使用できない。その理由は、クレジットカードに書き込まれている情報の一部が破壊されたり、カードに無効を示すフラグがたてられたりしているからである。【０００７】
しかし、一旦、使用停止の処理をされたクレジットカードを再使用したい場合がある。例えば、一旦、銀行口座の残高不足で代金支払いに失敗し、クレジットカードの使用を停止されたユーザが、未払い金の清算後、クレジットカードを継続して使用したい場合である。このような場合、特許文献１に記載されたシステムにおいては、ユーザは、クレジット会社から新たなクレジットカードを発行してもらう必要がある。または、ユーザはクレジットカードを当該会社の店舗に持参して、破壊されている情報の修復または無効を示すフラグの消去を依頼する必要がある。これは、ユーザにとって、不便なことである。【０００８】
類似の状況は、電子マネーを格納したＩＣ（Integrated Circuit）カード等についても発生する。本発明は、上記課題を解決して、一旦使用を停止されたカードの再使用のためのユーザ負担を軽減するための技術を提供することを目的とする。
【課題を解決するための手段】
【０００９】
本発明の一実施形態にかかる端末装置は、識別子、有効または無効を示す有効性情報、および、設定値を格納する記録媒体の無効回数特定値と前記識別子とを対応付けたホワイトリストを格納するリスト記憶手段と、前記記録媒体から読み出された前記識別子に対応する前記無効回数特定値を前記ホワイトリストから読み出し、前記記録媒体から読み出された前記設定値と比較し、前記設定値と前記無効回数特定値が等しい場合には、有効を示す前記有効性情報を前記記録媒体に格納する有効化処理と所定処理を実行する記録手段と、を備える。【００１０】
本発明の一実施形態にかかるサーバ装置は、記録媒体から読み出された識別子に対応する無効回数特定値を、記憶するホワイトリストから読み出し、前記記録媒体から読み出された設定値と比較し、前記設定値と前記無効回数特定値が等しい場合には、有効を示す前記有効性情報を前記記録媒体に格納する有効化処理と所定処理を実行する端末装置に接続され、無効にされた前記記録媒体の前記識別子対応に前記無効回数特定値を格納する無効回数記憶手段と、前記ホワイトリストの原本、および、前記記録媒体の前記無効回数特定値と前記識別子とを対応付けたブラックリストの原本を格納するリストマスタ記憶手段と、無効にされた前記記録媒体の前記識別子を入力されると、入力された前記識別子対応に前記無効回数記憶手段に格納されている前記無効回数特定値を進めて、進められた値を、入力された前記識別子に対応する前記無効回数特定値として、前記ブラックリストの原本に追加し、有効に戻された前記記録媒体の前記識別子を入力されると、入力された前記識別子対応の前記無効回数特定値を、前記ホワイトリストの原本に追加する追加手段と、前記ホワイトリストの原本を前記端末装置に配信するリスト配信手段と、を備える。【００１１】
本発明の一実施形態にかかる方法は、識別子、有効または無効を示す有効性情報、および、設定値を格納する記録媒体の無効回数特定値と前記識別子とを対応付けたホワイトリストを記憶し、前記記録媒体から読み出された前記識別子に対応する前記無効回数特定値を前記ホワイトリストから読み出し、前記記録媒体から読み出された前記設定値と比較し、前記設定値と前記無効回数特定値が等しい場合には、有効を示す前記有効性情報を前記記録媒体に格納する有効化処理と所定処理を実行する。【００１２】
本発明の一実施形態にかかる方法は、記録媒体から読み出された識別子に対応する無効回数特定値を、記憶するホワイトリストから読み出し、前記記録媒体から読み出された設定値と比較し、前記設定値と前記無効回数特定値が等しい場合には、有効を示す前記有効性情報を前記記録媒体に格納する有効化処理と所定処理を実行する端末装置と接続し、無効にされた前記記録媒体の前記識別子対応に前記無効回数特定値を無効回数記憶手段に記憶し、前記ホワイトリストの原本、および、前記記録媒体の前記無効回数特定値と前記識別子とを対応付けたブラックリストの原本を記憶し、無効にされた前記記録媒体の前記識別子を入力されると、入力された前記識別子対応に前記無効回数記憶手段に格納されている前記無効回数特定値を進めて、進められた値を、入力された前記識別子に対応する前記無効回数特定値として、前記ブラックリストの原本に追加し、有効に戻された前記記録媒体の前記識別子を入力されると、入力された前記識別子対応の前記無効回数特定値を、前記ホワイトリストの原本に追加し、前記ホワイトリストの原本を前記端末装置に配信する。
【発明の効果】
【００１３】
本発明に係るシステムは、クレジットカードや電子マネーを格納したＩＣカード等であって、一旦使用を停止されたカードの再使用のためにかかるユーザ負担を軽減できる。
【図面の簡単な説明】
【００１４】
【図１】図１は、第１の実施の形態にかかる有効性制御システム４の構成図である。
【図２Ａ】図２Ａは、端末装置１のリスト記憶部１２、および、サーバ装置２のリストマスタ記憶部２２に格納されるブラックリスト６１の構成を示す。
【図２Ｂ】図２Ｂは、端末装置１のリスト記憶部１２、および、サーバ装置２のリストマスタ記憶部２２に格納されるホワイトリスト６４の構成を示す。
【図３】図３は、サーバ装置２のログ記憶部２１に格納されるログの蓄積データを示す。
【図４】図４は、端末装置１の記録部１１の動作フローチャート（その１）である。
【図５】図５は、端末装置１の記録部１１の動作フローチャート（その２）である。
【図６】図６は、端末装置１の処理部１３の動作フローチャートである。
【図７】図７は、サーバ装置２の追加部２３の動作フローチャート（その１）である。
【図８】図８は、サーバ装置２の追加部２３の動作フローチャート（その２）である。
【図９】図９は、第２の実施の形態にかかる有効性制御システム４の構成図である。
【図１０】図１０は、サーバ装置２のカードマスタ記憶部２８に格納されるデータの構成を示す。
【図１１】図１１は、第２の実施の形態にかかるサーバ装置２の追加部２３の動作フローチャートである。
【図１２】図１２は、第３の実施形態にかかる端末装置１の構成図である。
【図１３】図１３は、第４の実施形態にかかるサーバ装置２の構成図である。
【発明を実施するための形態】
【００１５】
＜第１の実施の形態＞
図１は、本実施の形態にかかる有効性制御システム４の構成図である。有効性制御システム４は、ネットワーク４１を介して接続された、端末装置１、および、サーバ装置２を包含する。端末装置１は、通常複数台存在する。端末装置１は、例えば、販売店の支払いカウンタに設置されている。サーバ装置２は、例えば、銀行またはクレジットカード会社に設置されている。
【００１６】
端末装置１は、記録部１１、リスト記憶部１２、処理部１３、および、受信部１４を包含する。記録部１１、および、処理部１３には、リーダ／ライタ１５が接続されている。
【００１７】
リーダ／ライタ１５は、ＩＣカード３に記憶されているデータの読み書きを行う。ＩＣカード３は、例えば、電子マネーを記憶する携帯型の記録媒体である。または、ＩＣカード３は、クレジットカードでも良い。ＩＣカード３の所持者は、販売店に於いて、商品やサービスの購入代金をＩＣカード３で支払う。
【００１８】
ＩＣカード３は、カードＩＤまたはユーザＩＤ（IDentification、以降、単にＩＤと呼ぶ）を格納するＩＤ記憶部３１、ＩＣカード３が有効または無効であることを示す有効性情報を格納する有効性情報記憶部３２、および、ＩＣカード３が無効にされた回数を格納するカウンタ３３を備える。有効性情報記憶部３２の初期値は、“有効”、カウンタ３３の初期値は０である。ＩＣカード３は、更に、格納する電子マネーの残高やクレジットカードの信用残高を格納する残高記憶部３４を備えていても良い。
【００１９】
ＩＣカード３の所持者は、有効性情報記憶部３２に格納される有効性情報が有効であることを示す場合に限って、ＩＣカード３で支払いをすることが出来る。所持者は、例えば、残高記憶部３４に記憶される金額の支払いが出来る。
【００２０】
ＩＣカード３は、例えば、正当な所持者がＩＣカード３を紛失し、銀行やクレジットカード会社に当該ＩＣカード３の使用の停止を申請すると、無効な状態になる。ＩＣカード３は、例えば、正当な所持者がＩＣカード３を家庭内で発見して、使用の停止解除を銀行やクレジットカード会社に申請すると、有効な状態に戻る。また、ＩＣカード３がクレジットカードの場合、例えば、銀行口座から請求金額を引き落とせないとクレジットカード会社の操作により無効になり、その後、銀行口座にお金が入って引き落としが出来るとクレジットカード会社の操作により有効な状態に戻る。
【００２１】
なお、無効な状態のＩＣカード３の有効性情報記憶部３２に、無効を示す有効性情報が格納されるのは、ＩＣカード３が端末装置１１のリーダ/ライタ１５にタップされたときである。したがって、ＩＣカード３が無効な状態になってから、無効を示す有効性情報が格納されるまでには、時間差が生じる。同様に、ＩＣカード３が有効な状態に戻ってから、有効を示す有効性情報が格納されるまでには、時間差が生じる。
【００２２】
端末装置１のリスト記憶部１２は、無効になったＩＣカード３のＩＤ等を示すブラックリスト６１、および、無効から有効に戻ったＩＣカード３のＩＤ等を示すホワイトリスト６４を格納する。記録部１１は、ＩＣカード３から読み出したＩＤが、リスト記憶部１２に格納されているブラックリスト６１に登録されていると、そのＩＣカード３の有効性情報記憶部３２に無効を記録する。このとき、記録部１１は、ログを作成して、サーバ装置２に送信する。記録部１１は、ＩＣカード３から読み出したＩＤが、リスト記憶部１２に格納されているホワイトリスト６４に登録されていると、そのＩＣカード３の有効性情報記憶部３２に有効を記録する。処理部１３は、ＩＣカード３から読み出した有効性情報が有効を示していれば、所定処理、例えば、支払い処理を行う。
【００２３】
受信部１４は、例えば、サーバ装置２から、ブラックリスト６１およびホワイトリスト６４を受信して、リスト記憶部１２に格納する。サーバ装置２は、ブラックリスト６１およびホワイトリスト６４の原本を、作成、更新し、それを、ネットワーク４１を介して、端末装置１に配信する。端末装置１の受信部１４は、それを受信して、リスト記憶部１２に格納することで、ブラックリスト６１およびホワイトリスト６４の写しを記憶する。ブラックリスト６１またはホワイトリスト６４の配布は、通信によらず、可換媒体の郵送等で行っても良い。
【００２４】
ここで、記録部１１、処理部１３、および、受信部１４は、論理回路等で構成される。それらは、端末装置１のメモリ（図示されず）に格納されて、端末装置１のプロセッサ（図示されず）により実行されるソフトウェアにより実現されても良い。リスト記憶部１２は、ＩＣメモリ、ディスク装置等の記憶装置である。
【００２５】
サーバ装置２は、ログ記憶部２１、リストマスタ記憶部２２、追加部２３、削除部２４、配信部２５、および、ログ収集部２６を備える。追加部２３には、キーボード２７が接続されている。
【００２６】
追加部２３は、無効にされるＩＣカード３のＩＤをキーボード２７から取得すると、このＩＤ等をブラックリスト６１の原本に追加し、有効に戻されるＩＣカード３のＩＤをキーボード２７から取得すると、このＩＤ等をホワイトリスト６４の原本に追加する。削除部２４は、ＩＣカード３のＩＤを特定した“ブラックリストからの削除要求”を端末装置１の記録部１１から受信すると、このＩＤ等をブラックリスト６１の原本から削除する。同様に、削除部２４は、ＩＣカード３のＩＤを特定した“ホワイトリストからの削除要求”を端末装置１の記録部１１から受信すると、このＩＤ等をホワイトリスト６４の原本から削除する。
【００２７】
リストマスタ記憶部２２は、ブラックリスト６１およびホワイトリスト６４の原本を格納する。配信部２５は、リストマスタ記憶部２２に格納されているブラックリスト６１およびホワイトリスト６４の写しを、端末装置１に配信する。
【００２８】
ログ収集部２６は、端末装置１の記録部１１から前述のログを受信して、例えば、時系列に、ログ記憶部２１に格納する。ログ記憶部２１は、追加部２３により参照される。
【００２９】
ここで、追加部２３、削除部２４、配信部２５、および、ログ収集部２６は、論理回路等で構成される。それらは、サーバ装置２のメモリ（図示されず）に格納されて、サーバ装置２のプロセッサ（図示されず）により実行されるソフトウェアにより実現されても良い。ログ記憶部２１、および、リストマスタ記憶部２２は、ＩＣメモリ、ディスク装置等の記憶装置である。
【００３０】
図２Ａは、端末装置１のリスト記憶部１２、および、サーバ装置２のリストマスタ記憶部２２に格納されるブラックリスト６１の構成を示す。ブラックリスト６１は、無効にされたＩＣカード３のＩＤである無効ＩＤ６２とその無効にされた回数である無効回数６３の対のリストである。
【００３１】
図２Ｂは、端末装置１のリスト記憶部１２、および、サーバ装置２のリストマスタ記憶部２２に格納されるホワイトリスト６４の構成を示す。ホワイトリスト６４は、無効から有効に戻されたＩＣカード３のＩＤである有効ＩＤ６５とその無効にされた回数である無効回数６３の対のリストである。
【００３２】
なお、ブラックリスト６１とホワイトリスト６４は、必ずしも、別々のリストにする必要はない。１つのリストの中に、ブラックリスト６１に含まれるレコードとホワイトリスト６４に含まれるレコードを混在させ、レコードの中に区別情報を設けても良い。
【００３３】
図３は、サーバ装置２のログ記憶部２１に格納されるログの蓄積データを示す。端末装置１の記録部１１は、ＩＣカード３から読み出したＩＤとカウント値の更新値（ＩＣカード３に書き込んだ値）を含むログをサーバ装置２に送信する。ログ収集部２６は、受信したログのＩＤをログ記憶部２１のログＩＤ５１に、カウント値の更新値をログカウント値５２に格納する。
【００３４】
図４及び図５は、端末装置１の記録部１１の動作フローチャートである。記録部１１は、例えば、リーダ／ライタ１５にＩＣカード３がタップされると起動される。
【００３５】
記録部１１は、ＩＣカード３からＩＤおよびカウント値を読み出す（Ｓ１１）。ＩＤはＩＤ記憶部３１から、カウント値はカウンタ３３から読み出される。
【００３６】
次に、記録部１１は、読み出されたＩＤがリスト記憶部１２に格納されているブラックリスト６１またはホワイトリスト６４に登録されているかをチェックする（Ｓ１２）。このとき、記録部１１は、読み出されたＩＤと一致する無効ＩＤ６２が、ブラックリスト６１に登録されているか否か、読み出されたＩＤと一致する有効ＩＤ６５が、ホワイトリスト６４に登録されているか否かをチェックする。ブラックリスト６１に登録されている場合（Ｓ１２でＹ、Ｓ１８でＮ）、記録部１１は、読み出されたＩＤと一致する無効ＩＤ６２に対応する無効回数６３をブラックリスト６１から読み出す（Ｓ１３）。
【００３７】
ＩＣカード３から読み出したカウント値が無効回数６３の値より小さな場合（Ｓ１４でＹ）、記録部１１は（カウント値＋１）を算出、即ちカウントアップして、その算出値ＡをＩＣカード３のカウンタ３３に格納する（Ｓ１５）。即ち、記録部１１はＩＣカード３のカウント値を算出値Ａで更新する。なお、記録部１１は、カウントアップの代わりに、ＩＣカード３のカウント値を無効回数６３で更新しても良い。更に、記録部１１は、“無効”の有効性情報を、有効性情報記憶部３２に格納する（Ｓ１５）。
【００３８】
その後、記録部１１は、ＩＣカード３から読み出されたＩＤと算出値Ａを含むログを作成して、サーバ装置２のログ収集部２６に送信する（Ｓ１６）。最後に、記録部１１は、ＩＣカード３から読み出されたＩＤを含む“ブラックリストからの削除要求”を作成して、サーバ装置２の削除部２６に送信する（Ｓ１７）。
【００３９】
ＩＣカード３から読み出したカウント値が無効回数６３の値より小さくない場合（Ｓ１４でＮ）、記録部１１は、何もしない。
【００４０】
ＩＣカード３から読み出されたＩＤが、ホワイトリスト６４に登録されている場合（Ｓ１２でＹ、Ｓ１８でＹ）、記録部１１は、読み出されたＩＤと一致する有効ＩＤ６５に対応する無効回数６３をホワイトリスト６４から読み出す（Ｓ１９）。
【００４１】
ＩＣカード３から読み出したカウント値が無効回数６３の値以下の場合（Ｓ１ＡでＹ）、記録部１１は、“有効”の有効性情報を、有効性情報記憶部３２に格納する（Ｓ１Ｂ）。最後に、記録部１１は、ＩＣカード３から読み出されたＩＤを含む“ホワイトリストからの削除要求”を作成して、サーバ装置２の削除部２６に送信する（Ｓ１Ｃ）。
【００４２】
ＩＣカード３から読み出したカウント値が無効回数６３の値より大きな場合（Ｓ１ＡでＮ）、記録部１１は、何もしない。
【００４３】
また、読み出されたＩＤがリスト記憶部１２に格納されているブラックリスト６１にもホワイトリスト６４にも登録されていない場合（Ｓ１２でＮ）、記録部１１は、何もしない。
【００４４】
なお、無効から有効に戻されたＩＣカード３は、再度無効になる前にリーダ／ライタ１５にタップされることを前提にするのであれば、記録部１１は、Ｓ１Ａで、カウント値が無効回数６３の値以下かどうかをチェックするのでなく、カウント値が無効回数６３の値と同じであるかをチェックしても良い。
【００４５】
図６は、処理部１３の動作フローチャートである。処理部１３は、例えば、記録部１１の動作が終了すると起動される。処理部１３は、ＩＣカード３を使用する本来の目的を果たす処理、例えば、ＩＣカード３の電子マネーを用いた支払い処理を行う。
【００４６】
処理部１３は、まず、図示されないキーボードから入力された支払金額を得た後（Ｓ２１）、ＩＣカード３から有効または無効の有効性情報を読み出す（Ｓ２２）。当該有効性情報は、有効性情報記憶部３２から読み出される。
【００４７】
当該有効性情報が“有効”を示せば（Ｓ２３で有効）、処理部１３はＩＣカード３の残高記憶部３４に記録されている電子マネーの残高から支払額を差し引くことを含む支払処理を行う（Ｓ２４）。支払処理は、支払伝票の印刷、支払データの送信等を含んでいてもよい。当該有効性情報が“無効”を示せば（Ｓ２３で無効）、処理部１３はエラー処理を行う（Ｓ２５）。このとき、処理部１３は、例えば、端末装置１の図示されない表示装置に警告メッセージを出力する。
【００４８】
図７及び図８は、サーバ装置２の追加部２３の動作フローチャートである。追加部２３は、キーボード２７等から、ＩＣカード３の無効化または有効化の指示が入力されると起動される。
【００４９】
先ず、追加部２３は、無効にされたＩＣカード３のＩＤ、および、有効化／無効化の区別情報を、キーボード２７から得る（Ｓ３１）。次に、当該区別情報が無効化を示す場合（Ｓ３２でＮ）、追加部２３は、当該ＩＤと一致するログＩＤ５１のログがログ記憶部２１に格納されているかをチェックする（Ｓ３３）。あるＩＣカード３が、無効、有効の変化を複数回繰り返した場合、そのようなログが複数個存在する。格納されている場合（Ｓ３３で“ある”）、追加部２３は、そのような１個以上のログの中から、最大のログカウント値５２をログ記憶部２１から読み出し、１を加算して値αを求める（Ｓ３４）。この最大のログカウント値５２は、入力されたＩＤと一致するログＩＤ５１のログのうち最新のログから得られる。
【００５０】
格納されていない場合（Ｓ３３で“ない”）、追加部２３は、値αを１とする（Ｓ３７）。
【００５１】
次に、追加部２３は、入力されたＩＤと値αを対応付けて、リストマスタ記憶部２２内のブラックリスト６１に追加する（Ｓ３５）。具体的に、追加部２３は、入力されたＩＤを無効ＩＤ６２として、値αを無効回数６３としてブラックリスト６１に登録する。
【００５２】
最後に、追加部２３は、入力されたＩＤがホワイトリスト６４に登録されていれば、このＩＤ及び対応する無効回数を、リストマスタ記憶部２２内のホワイトリスト６４から削除する（Ｓ３６）。
【００５３】
有効化／無効化の区別情報が有効化を示す場合（Ｓ３２でＹ）、追加部２３は、当該ＩＤと一致するログＩＤ５１のログがログ記憶部２１に格納されているかをチェックする（Ｓ４１）。あるＩＣカード３が、無効、有効の変化を複数回繰り返した場合、そのようなログが複数個存在する。格納されている場合（Ｓ４１で“ある”）、追加部２３は、そのような１個以上のログの中から、最大のログカウント値５２をログ記憶部２１から読み出して値γを得る（Ｓ４２）。この最大のログカウント値５２は、入力されたＩＤと一致するログＩＤ５１のログのうち最新のログから得られる。
【００５４】
格納されていない場合（Ｓ４１で“ない”）、追加部２３は、値γを０とする（Ｓ４５）。入力されたＩＤと一致するログＩＤ５１のログがログ記憶部２１に格納されていないのは、入力されたＩＤのＩＣカード３は、無効にされていた期間内に、販売店の店舗などに持ち込まれて、リーダ／ライタ１５にタップされることがなかったこと、即ち当該ＩＣカード３のカウント値が０であることを意味する。
【００５５】
次に、追加部２３は、入力されたＩＤと値γを対応付けて、リストマスタ記憶部２２内のホワイトリスト６４に追加する（Ｓ４３）。具体的に、追加部２３は、入力されたＩＤを有効ＩＤ６５として、値γを無効回数６３としてホワイトリスト６４に登録する。
【００５６】
最後に、追加部２３は、入力されたＩＤがブラックリスト６１に登録されていれば、このＩＤ及び対応する無効回数を、リストマスタ記憶部２２内のブラックリスト６１から削除する（Ｓ４４）。配信部２５は、追加部２３および削除部２４が維持管理しているリストマスタ記憶部２２内のブラックリスト６１およびホワイトリスト６４を、端末装置１に配信する。配信は、定期的に行われても良いし、追加または削除が一定回数実施されたときに行われても良い。
【００５７】
本実施の形態にかかる有効性制御システム４は、一旦無効にされて、無効を示す有効性情報が書き込まれたＩＣカード３の再使用を容易にする。その理由は、一旦無効にされてその後有効に戻されたＩＣカード３のＩＤを含むホワイトリスト６４を、端末装置１が記憶しているからである。そして、端末装置１は、当該ホワイトリスト６４に含まれているＩＤのＩＣカード３の有効性情報記憶部３２に、有効を示す有効性情報を書き込むからである。
【００５８】
具体的な例を説明する。例えば、クレジットカード（ＩＣカード３）のユーザが、銀行口座残高の不足により、請求額の支払いに失敗した場合、クレジット会社は追加部２３を用いて、当該ユーザのＩＣカード３のＩＤをブラックリスト６１に登録する。その後、ユーザが、ＩＣカード３を使ってある店舗で支払いをしようとすると、当該店舗の端末装置１が、ブラックリスト６１に基づいてＩＣカード３に無効を示す有効性情報を書き込む。これで、当該ユーザは当該ＩＣカード３を使って支払いができなくなる。
【００５９】
しかし、ユーザがクレジット会社に未払いの金額を送金などすれば、クレジット会社は追加部２３を用いて、当該ユーザのＩＣカード３のＩＤをホワイトリスト６４に登録する。この状態で、ユーザが、ＩＣカード３を使ってある店舗で支払いをしようとすると、当該店舗の端末装置１が、ホワイトリスト６４に基づいてＩＣカード３に有効を示す有効性情報を書き込む。これで、当該ユーザは、再度、当該ＩＣカード３を使って支払いができるようになる。上記の場合、ユーザは、一旦無効にされたＩＣカード３を継続して使用するために、クレジット会社の店舗に出向く必要がない。また、当該ユーザは、クレジットカードの再発行待つ必要もない。
【００６０】
また、本実施の形態にかかる有効性制御システム４は、ホワイトリスト６４に基づいて、クレジットカードや電子マネーを格納したＩＣカード３等の有効／無効を適切に判断できる。このシステムは、一旦有効に戻して、再度無効にしたＩＣカード３等に対しても有効／無効を適切に判断できる。その理由は、無効回数をＩＣカード３および端末装置１が記憶するホワイトリスト６４の両者に記憶しているからである。
【００６１】
例えば、あるＩＣカード３が初めて無効にされて有効性情報記憶部３２に無効を示す有効性情報を書き込まれたのち、有効に戻されたとき、カウンタ３３のカウント値は１である。最初のホワイトリスト６４の無効回数６３は１である。従って、このＩＣカード３が、最初のホワイトリスト６４を記憶する端末装置１に入力されると、端末装置１はこのカードに有効の有効性情報を記録する。その後、このＩＣカード３が再度無効にされて、有効性情報記憶部３２に無効を示す有効性情報を再度書き込まれると、カウンタ３３のカウント値は２となる。従って、このＩＣカード３が、この後、最初のホワイトリスト６４を記憶する端末装置１により、当該ホワイトリスト６４に基づいて、有効と判断されることはない。即ち、このＩＣカード３が無効から有効に戻され、その後再度無効に戻った場合、古いホワイトリスト６４に基づいて、誤って有効の判断がなされることはない。従って、ユーザは、当該ＩＣカード３を端末装置１のリーダ／ライタ１５にタップして、有効を示す有効性情報に基づいて、処理部１３に所定処理、例えば、残高記憶部３４に記憶されている電子マネー、クレジットカードの与信残高を用いた支払い処理を実行させることは出来ない。
【００６２】
なお、ＩＣカード３は、他の形状のＩＣメモリに変更されても良いし、他の記録媒体、例えば、ＵＳＢ（Universal Serial Bus）メモリに変更されても良い。この場合、リーダ／ライタ１５は、ＵＳＢインターフェースに変更される。また、ＩＣカード３は、人間が携帯する物ではなく、自動車の外部や、車いすに備え付けられ、例えば、ドライブスルーの支払いに用いられる記録媒体に置き換えられても良い。
【００６３】
更に、ＩＣカード３のカウンタ３３、ホワイトリスト６４、および、ブラックリスト６１に包含される無効回数６３に格納される値は、必ずしも、本実施形態のように、初期値０から始まり、１ずつカウントアップされる“回数”そのものの値である必要はない。例えば、有効性制御システム４内の規約または変換テーブルにより、無効の回数が特定できる情報、即ち、無効回数特定値であればよい。例えば、初期値が５であり、無効にされた回数の増加に伴い２ずつカウントアップされる数値であっても良い。
【００６４】
更に、無効回数特定値は、初期値がある程度大きな数、例えば１０００であり、回数の増加に伴い１ずつカウントダウンされる値でも良い。順序が特定できるならば、無効回数特定値は、非数値情報、例えば、アルファベット、仮名文字であっても良い。
【００６５】
このような場合、記録部１１が行う、図４のＳ１４の比較、Ｓ１５のカウントアップの記載、および、図５のＳ１Ａの比較は、無効回数特定値を回数にマッピングした場合の処理を記載していることになる。実際に無効回数特定値に対して施される演算は無効回数特定値に応じて若干の変更がなされる。例えば、無効回数特定値が、回数の増加に伴い１ずつカウントダウンされる数値の場合、Ｓ１４、Ｓ１Ａの判定の大小関係は逆になる。また、Ｓ１５の無効の回数を１増加させる処理は、無効回数特定値を１つカウントダウンさせる処理となる。今後、回数を１増加させる処理に相当する無効回数特定値に対する演算（上記例では１つカウントダウンすること）を、“無効回数特定値を進める”と表現することがある。
【００６６】
なお、端末装置１は処理部１３を備えず、別の装置が処理部１３を備えていても良い。記録部１１と処理部１３は、一体に実装しても良く、例えば、記録部１１が処理部１３の機能を備えていても良い。
【００６７】
記録部１１は、“ブラックリストからの削除要求”（Ｓ１７）や“ホワイトリストからの削除要求”（Ｓ１Ｃ）の送信を行わなくても良い。この場合、例えば、有効性制御システム４の管理者が、適宜、ブラックリスト６１とホワイトリスト６４から処置済みのＩＤを削除する。このとき、サーバ装置２は、削除部２４を備えなくても良い。
【００６８】
また、ログ記憶部２１は、無効回数記憶部２Ａとも呼ばれ、カウンタ３３は、設定値記憶部３５とも呼ばれる。
【００６９】
本実施形態について示した、バリエーションは、以降の実施も形態についても適用される。
【００７０】
＜第２の実施の形態＞
図９は、第２の実施の形態にかかる有効性制御システム４の構成図である。本実施の形態にかかる有効性制御システム４は、第１の実施の形態にかかる有効性制御システム４が備えていたログ収集部２６とログ記憶部２１を備えず、代わりに、カードマスタ記憶部２８を備える。
【００７１】
ここで、カードマスタ記憶部２８は、ＩＣメモリ、ディスク装置等の記憶装置である。
【００７２】
図１０は、サーバ装置２のカードマスタ記憶部２８に格納されるデータの構成を示す。カードマスタ記憶部２８は、無効にされ得る、例えば、発行されている全てのＩＣカード３のＩＤである登録ＩＤ５５と、そのＩＣカード３が無効にされた回数である無効回数５６を格納している。例えば、銀行またはクレジットカード会社が、ユーザにＩＣカード３を発行するごとに、登録ＩＤ５５と無効回数５６の初期値０をカードマスタ記憶部２８に登録する。
【００７３】
図１１は、本実施の形態にかかる追加部２３の動作フローチャートである。追加部２３は、キーボード２７等から、ＩＣカード３の無効化、または、有効化の指示が入力されると起動される。
【００７４】
先ず、追加部２３は、無効にされたＩＣカード３のＩＤ、および、有効化／無効化の区別情報を、キーボード２７から得る（Ｓ５１）。次に、無効化の指示が入力された場合（Ｓ５６でＮ）、追加部２３は、当該ＩＤと一致する登録ＩＤ５５に対応する無効回数５６をカードマスタ記憶部２８から読み出し、１を加算して値βを求める（Ｓ５２）。
【００７５】
追加部２３は、値βを、キーボード２７から得たＩＤと一致する登録ＩＤ５５に対応する無効回数５６としてカードマスタ記憶部２８に格納する（Ｓ５３）。
【００７６】
最後に、追加部２３は、キーボード２７から得たＩＤと値βを対応付けて、リストマスタ記憶部２２内のブラックリスト６１に追加する（Ｓ５４）。具体的に、追加部２３は、キーボード２７から得たＩＤを無効ＩＤ６２として、値βを無効回数６３としてブラックリスト６１に登録する。
【００７７】
有効化の指示が入力された場合（Ｓ５６でＹ）、追加部２３は、当該ＩＤと一致する登録ＩＤ５５に対応する無効回数５６をカードマスタ記憶部２８から読み出して、読み出した値をキーボード２７から得たＩＤと対応付けて、リストマスタ記憶部２２内のホワイトリスト６４に追加する（Ｓ５５）。具体的に、追加部２３は、キーボード２７から得たＩＤを有効ＩＤ６５として、読み出した無効回数５６を無効回数６３としてホワイトリスト６４に登録する。
【００７８】
なお、本実施の形態にかかる記録部１１は、ログの送信（図４のＳ１６）は行わない。また、以上説明したこと以外、本実施の形態にかかる有効性制御システム４は、第１の実施の形態にかかる有効性制御システム４と同じである。
【００７９】
本実施の形態にかかる有効性制御システム４は、ネットワーク４１の負荷を抑えつつ、第１の実施の形態にかかる有効性制御システム４と同じ効果を奏する。その理由は、端末装置１がサーバ装置２に、ログを送信しないからである。
【００８０】
なお、カードマスタ記憶部２８は、無効回数記憶部２Ａとも呼ばれる。
【００８１】
＜第３の実施の形態＞
図１２は、第３の実施形態にかかる端末装置１の構成図である。端末装置１は、記録部１１とリスト記憶部１２を備える。
【００８２】
リスト記憶部１２は、ＩＤ、有効または無効を示す有効性情報、および、カウント値を格納するＩＣカード３の無効回数６３と、無効から有効に戻されたＩＤである有効ＩＤ６５とを対応付けたホワイトリスト６４を格納する。
【００８３】
記録部１１は、ＩＣカード３から読み出されたＩＤに対応する無効回数６３をホワイトリスト６４から読み出し、ＩＣカード３から読み出されたカウント値と比較する。比較の結果、カウント値と無効回数が等しい場合には、記録部１１は、有効を示す有効性情報をＩＣカード３に格納する有効化処理と所定処理、例えば、支払い処理を実行する。
【００８４】
本実施の形態にかかる端末装置１は、一旦無効にされて、無効を示す有効性情報が書き込まれたＩＣカード３の再使用を容易にする。その理由は、第１の実施形態で述べたとおりである。
【００８５】
＜第４の実施の形態＞
図１３は、第４の実施形態にかかるサーバ装置２の構成図である。
【００８６】
サーバ装置２は端末装置に接続される。当該端末装置は、ＩＣカードから読み出されたＩＤに対応する無効回数を、記憶するホワイトリストから読み出し、ＩＣカードから読み出された設定値と比較する。比較の結果、設定値と無効回数特定値が等しい場合には、端末装置は、有効を示す有効性情報をＩＣカード３に格納する有効化処理と所定処理、例えば、支払い処理を実行する。
【００８７】
また、サーバ装置２は、無効回数記憶部２Ａ、リストマスタ記憶部２２、追加部２３、および、配信部２５を備える。
【００８８】
無効回数記憶部２Ａは、無効にされたＩＣカード３のＩＤ対応に無効回数を格納する。リストマスタ記憶部２２は、ホワイトリスト６４、および、ＩＣカード３の無効回数６３と無効ＩＤ６２とを対応付けたブラックリスト６１の原本を格納する。
【００８９】
追加部２３は、無効にされたＩＣカード３のＩＤを入力されると、入力されたＩＤ対応に無効回数記憶部２Ａに格納されている無効回数をカウントアップして、カウントアップされた値を、入力されたＩＤに対応する無効回数６３として、ブラックリスト６１の原本に追加する。また、追加部２３は、有効に戻されたＩＣカード３のＩＤを入力されると、入力されたＩＤ対応の無効回数６３を、ホワイトリスト６４の原本に追加する。配信部２５は、ホワイトリスト６４の原本を端末装置に配信する。
【００９０】
本実施の形態にかかるサーバ装置２に接続された端末装置は、一旦無効にされて、無効を示す有効性情報が書き込まれたＩＣカード３の再使用を容易にする。その理由は、第１の実施形態で述べたとおりである。
【００９１】
上記の実施形態の一部または全部は、以下の付記のようにも記載されうるが、以下には限られない。
（付記１）
識別子、有効または無効を示す有効性情報、および、設定値を格納する記録媒体の無効回数特定値と前記識別子とを対応付けたホワイトリストを格納するリスト記憶手段と、
前記記録媒体から読み出された前記識別子に対応する前記無効回数特定値を前記ホワイトリストから読み出し、前記記録媒体から読み出された前記設定値と比較し、前記設定値と前記無効回数特定値が等しい場合には、有効を示す前記有効性情報を前記記録媒体に格納する有効化処理と所定処理を実行する記録手段と、を備える端末装置。
（付記２）
前記記録手段は、前記設定値と前記無効回数特定値が等しくない場合には、前記有効化処理を実行せず、前記記録媒体の有効性情報に基づき前記所定処理を実行する付記１の端末装置。
（付記３）
前記リスト記憶手段は、さらに、前記記録媒体の前記無効回数特定値と前記識別子とを対応付けたブラックリストを包含し、
前記記録手段は、
前記記録媒体から読み出された前記識別子に対応する前記無効回数特定値を、前記ブラックリストから読み出し、前記記録媒体から読み出された前記設定値と比較し、当該設定値が当該無効回数特定値より小さければ、前記記録媒体に格納された前記設定値を前記無効回数特定値で更新し、無効を示す前記有効性情報を前記記録媒体に格納する無効化処理を実行し、または、
前記記録媒体から読み出された前記識別子に対応する前記無効回数特定値を、前記ホワイトリストから読み出し、前記記録媒体から読み出された前記設定値と比較し、当該設定値が当該無効回数特定値より大きければ、前記有効化処理を実行せず、前記記録媒体の有効性情報に基づき前記所定処理を実行する、付記２の端末装置。
（付記４）
無効にされた前記記録媒体の前記識別子を取得し、当該識別子と前記無効回数特定値とを対応付けて前記ブラックリストの原本に追加し、
有効にされた前記記録媒体の前記識別子を取得して、当該識別子と前記無効回数特定値とを対応付けて前記ホワイトリストの原本に追加し、前記ブラックリストおよび前記ホワイトリストの原本を配信するサーバ装置に接続され、
前記サーバ装置から配信された前記ブラックリストおよびホワイトリストを受信して、前記リスト記憶手段に格納する受信手段を、更に備える、付記３に記載の端末装置。
（付記５）
前記記録手段は、前記記録媒体から読みとられた前記有効性情報に基づき、有効であれば前記所定処理を実行し、無効であれば実行しない、付記１乃至４の何れかに記載の端末装置。
（付記６）
前記サーバ装置と、付記４または５の端末装置と、を包含する有効性制御システム。
（付記７）
記録媒体から読み出された識別子に対応する無効回数特定値を、記憶するホワイトリストから読み出し、前記記録媒体から読み出された設定値と比較し、前記設定値と前記無効回数特定値が等しい場合には、有効を示す前記有効性情報を前記記録媒体に格納する有効化処理と所定処理を実行する端末装置から読み出される前記識別子を格納するＩＤ記憶部と、前記有効性情報を格納する有効性情報記憶部と、前記設定値を格納する設定値記憶部と、を備える記録媒体。
（付記８）
記録媒体から読み出された識別子に対応する無効回数特定値を、記憶するホワイトリストから読み出し、前記記録媒体から読み出された設定値と比較し、前記設定値と前記無効回数特定値が等しい場合には、有効を示す前記有効性情報を前記記録媒体に格納する有効化処理と所定処理を実行する端末装置に接続され、
無効にされた前記記録媒体の前記識別子対応に前記無効回数特定値を格納する無効回数記憶手段と、
前記ホワイトリストの原本、および、前記記録媒体の前記無効回数特定値と前記識別子とを対応付けたブラックリストの原本を格納するリストマスタ記憶手段と、
無効にされた前記記録媒体の前記識別子を入力されると、入力された前記識別子対応に前記無効回数記憶手段に格納されている前記無効回数特定値を進めて、進められた値を、入力された前記識別子に対応する前記無効回数特定値として、前記ブラックリストの原本に追加し、
有効に戻された前記記録媒体の前記識別子を入力されると、入力された前記識別子対応の前記無効回数特定値を、前記ホワイトリストの原本に追加する追加手段と、
前記ホワイトリストの原本を前記端末装置に配信するリスト配信手段と、を備えるサーバ装置。
（付記９）
前記設定値と前記無効回数特定値が等しくない場合には、前記記録媒体に格納された前記設定値を前記無効回数特定値で更新し、前記有効性情報を無効とする記録処理を実行し、前記記録処理における前記識別子と更新された前記設定値を包含するログを送信する前記端末装置に接続され、
前記ログを受信して前記無効回数記憶手段に蓄積するログ収集手段を、更に備え、
前記追加手段は、無効にされた前記記録媒体の前記識別子を入力されて、入力された前記識別子対応に前記無効回数記憶手段に格納されている前記設定値のうち最大のものを進めて、進められた値を、入力された前記識別子に対応する前記無効回数特定値として、前記ブラックリストの原本に追加する、付記８のサーバ装置。
（付記１０）
前記無効回数記憶手段は、無効の対象となり得る前記記録媒体の前記識別子と前記無効回数特定値を対応付けて格納し、
前記追加手段は、無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する、付記８のサーバ装置。
（付記１１）
識別子、有効または無効を示す有効性情報、および、設定値を格納する記録媒体の無効回数特定値と前記識別子とを対応付けたホワイトリストを記憶し、
前記記録媒体から読み出された前記識別子に対応する前記無効回数特定値を前記ホワイトリストから読み出し、前記記録媒体から読み出された前記設定値と比較し、前記設定値と前記無効回数特定値が等しい場合には、有効を示す前記有効性情報を前記記録媒体に格納する有効化処理と所定処理を実行する、方法。
（付記１２）
前記設定値と前記無効回数特定値が等しくない場合には、前記有効化処理を実行せず、前記記録媒体の有効性情報に基づき前記所定処理を実行する付記１１の方法。
（付記１３）
さらに、前記記録媒体の前記無効回数特定値と前記識別子とを対応付けたブラックリストを記憶し、
前記記録媒体から読み出された前記識別子に対応する前記無効回数特定値を、前記ブラックリストから読み出し、前記記録媒体から読み出された前記設定値と比較し、当該設定値が当該無効回数特定値より小さければ、前記記録媒体に格納された前記設定値を前記無効回数特定値で更新し、無効を示す前記有効性情報を前記記録媒体に格納する無効化処理を実行し、または、
前記記録媒体から読み出された前記識別子に対応する前記無効回数特定値を、前記ホワイトリストから読み出し、前記記録媒体から読み出された前記設定値と比較し、当該設定値が当該無効回数特定値より大きければ、前記有効化処理を実行せず、前記記録媒体の有効性情報に基づき前記所定処理を実行する、付記１２の方法。
（付記１４）
無効にされた前記記録媒体の前記識別子を取得し、当該識別子と前記無効回数特定値とを対応付けて前記ブラックリストの原本に追加し、
有効にされた前記記録媒体の前記識別子を取得して、当該識別子と前記無効回数特定値とを対応付けて前記ホワイトリストの原本に追加し、前記ブラックリストおよび前記ホワイトリストの原本を配信するサーバ装置から配信された前記ブラックリストおよびホワイトリストを受信して、記憶する、付記１３に記載の方法。
（付記１５）
前記記録媒体から読みとられた前記有効性情報に基づき、有効であれば前記所定処理を実行し、無効であれば実行しない、付記１１乃至１４の何れかに記載の方法。
（付記１６）
記録媒体から読み出された識別子に対応する無効回数特定値を、記憶するホワイトリストから読み出し、前記記録媒体から読み出された設定値と比較し、前記設定値と前記無効回数特定値が等しい場合には、有効を示す前記有効性情報を前記記録媒体に格納する有効化処理と所定処理を実行する端末装置と接続し、
無効にされた前記記録媒体の前記識別子対応に前記無効回数特定値を無効回数記憶手段に記憶し、
前記ホワイトリストの原本、および、前記記録媒体の前記無効回数特定値と前記識別子とを対応付けたブラックリストの原本を記憶し、
無効にされた前記記録媒体の前記識別子を入力されると、入力された前記識別子対応に前記無効回数記憶手段に格納されている前記無効回数特定値を進めて、進められた値を、入力された前記識別子に対応する前記無効回数特定値として、前記ブラックリストの原本に追加し、
有効に戻された前記記録媒体の前記識別子を入力されると、入力された前記識別子対応の前記無効回数特定値を、前記ホワイトリストの原本に追加し、
前記ホワイトリストの原本を前記端末装置に配信する、方法。
（付記１７）
前記設定値と前記無効回数特定値が等しくない場合には、前記記録媒体に格納された前記設定値を前記無効回数特定値で更新し、前記有効性情報を無効とする記録処理を実行し、前記記録処理における前記識別子と更新された前記設定値を包含するログを送信する前記端末装置に接続し、
前記ログを受信して前記無効回数記憶手段に蓄積し、
無効にされた前記記録媒体の前記識別子を入力されて、入力された前記識別子対応に前記無効回数記憶手段に格納されている前記設定値のうち最大のものを進めて、進められた値を、入力された前記識別子に対応する前記無効回数特定値として、前記ブラックリストの原本に追加する、付記１６の方法。
（付記１８）
無効の対象となり得る前記記録媒体の前記識別子と前記無効回数特定値を対応付けて前記無効回数記憶手段に記憶し、
無効にされた前記記録媒体の前記識別子を入力されて、入力された前記識別子対応に前記無効回数記憶手段に格納されている前記無効回数特定値を進めて、進められた値を、入力された前記識別子に対応する前記無効回数特定値として、前記ブラックリストの原本に追加する、付記１６の方法。
（付記１９）
コンピュータに、付記１１乃至１８の何れかに記載の方法を実行させるプログラムを記憶した記録媒体。
【００９２】
以上、実施形態を参照して本願発明を説明したが、本願発明は上記実施形態に限定されものではない。本願発明の構成や詳細には、本願発明のスコープ内で当業者が理解し得る様々な変更をすることができる。
【００９３】
この出願は、２０１３年９月１３日に出願された日本出願特願２０１３−１９０１５６を基礎とする優先権を主張し、その開示の全てをここに取り込む。
【符号の説明】
【００９４】
１    端末装置
２    サーバ装置
３    ＩＣカード
４    有効性制御システム
１１    記録部
１２    リスト記憶部
１３    処理部
１４    受信部
１５    リーダ／ライタ
２１    ログ記憶部
２２    リストマスタ記憶部
２３    追加部
２４    削除部
２５    配信部
２６    ログ収集部
２７    キーボード
２８    カードマスタ記憶部
２Ａ    無効回数記憶部
３１    ＩＤ記憶部
３２    有効性情報記憶部
３３    カウンタ
３４    残高記憶部
３５    設定値記憶部
４１    ネットワーク
５１    ログＩＤ
５２    ログカウント値
５５    登録ＩＤ
５６、６３    無効回数
６１    ブラックリスト
６２    無効ＩＤ
６４    ホワイトリスト
６５    有効ＩＤ
【図１】
2015037192.tif 000003
【図２Ａ】
2015037192.tif 000004
【図２Ｂ】
2015037192.tif 000005
【図３】
2015037192.tif 000006
【図４】
2015037192.tif 000007
【図５】
2015037192.tif 000008
【図６】
2015037192.tif 000009
【図７】
2015037192.tif 000010
【図８】
2015037192.tif 000011
【図９】
2015037192.tif 000012
【図１０】
2015037192.tif 000013
【図１１】
2015037192.tif 000014
【図１２】
2015037192.tif 000015
【図１３】
2015037192.tif 000016
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
識別子、有効または無効を示す有効性情報、および、設定値を格納する記録媒体の回数特定値と前記識別子とを対応付けたリストを格納するリスト記憶手段と、
前記記録媒体から読み出された前記識別子に対応する前記回数特定値を前記リストから読み出し、当該回数特定値と前記記録媒体から読み出された前記設定値とを比較した結果に基づいて、有効又は無効を示す前記有効性情報を前記記録媒体に格納する有効化処理手段と、を備える端末装置。
【請求項２】
前記リスト記憶手段は、前記リストとして、前記記録媒体の前記回数特定値と前記識別子とを対応付けたホワイトリストを包含し、
前記有効化処理手段は、
前記記録媒体から読み出された前記識別子に対応する前記回数特定値を、前記ホワイトリストから読み出し、当該回数特定値と前記記録媒体から読み出された前記設定値とが等しい場合には、有効を示す情報を前記記録媒体に格納する、請求項１に記載の端末装置。
【請求項３】
前記リスト記憶手段は、前記リストとして、さらに、前記記録媒体の前記回数特定値と前記識別子とを対応付けたブラックリストを包含し、
前記有効化処理手段は、
前記記録媒体から読み出された前記識別子に対応する前記回数特定値を、前記ブラックリストから読み出し、当該回数特定値と前記記録媒体から読み出された前記設定値と比較し、当該設定値が当該回数特定値より小さければ、前記記録媒体に格納された前記設定値を前記回数特定値で更新し、無効を示す前記有効性情報を前記記録媒体に格納する、請求項２に記載の端末装置。
【請求項４】
無効にされた前記記録媒体の前記識別子を取得して、当該識別子と前記回数特定値とを対応付けて前記ブラックリストの原本に追加し、有効にされた前記記録媒体の前記識別子を取得して、当該識別子と前記回数特定値とを対応付けて前記ホワイトリストの原本に追加し、前記ブラックリストおよび前記ホワイトリストの原本を配信するサーバ装置に接続され、
前記サーバ装置から配信された前記ブラックリストおよびホワイトリストを受信して、前記リスト記憶手段に格納する受信手段を、更に備える、請求項３に記載の端末装置。
【請求項５】
前記記録媒体から読みとられた前記有効性情報に基づき、有効であれば所定処理を実行し、無効であれば実行しない、処理手段を更に備える、請求項１乃至４の何れかに記載の端末装置。
【請求項６】
記録媒体から読み出された識別子に対応する回数特定値を、記憶するホワイトリストから読み出し、前記記録媒体から読み出された設定値と比較し、前記設定値と前記回数特定値が等しい場合には、有効を示す前記有効性情報を前記記録媒体に格納する有効化処理と所定処理を実行する端末装置に接続され、
無効にされた前記記録媒体の前記識別子対応に前記回数特定値を格納する回数記憶手段と、
前記ホワイトリストの原本、および、前記記録媒体の前記回数特定値と前記識別子とを対応付けたブラックリストの原本を格納するリストマスタ記憶手段と、
無効にされた前記記録媒体の前記識別子を入力されると、入力された前記識別子対応に前記回数記憶手段に格納されている前記回数特定値を進めて、進められた値を、入力された前記識別子に対応する前記回数特定値として、前記ブラックリストの原本に追加し、
有効に戻された前記記録媒体の前記識別子を入力されると、入力された前記識別子対応の前記回数特定値を、前記ホワイトリストの原本に追加する追加手段と、
前記ホワイトリストの原本を前記端末装置に配信するリスト配信手段と、を備えるサーバ装置。
【請求項７】
識別子、有効または無効を示す有効性情報、および、設定値を格納する記録媒体の回数特定値と前記識別子とを対応付けたリストを記憶し、
前記記録媒体から読み出された前記識別子に対応する前記回数特定値を前記リストから読み出し、当該回数特定値と前記記録媒体から読み出された前記設定値とを比較した結果に基づいて、有効又は無効を示す前記有効性情報を前記記録媒体に格納する、方法。
【請求項８】
前記リストとして、前記記録媒体の前記回数特定値と前記識別子とを対応付けたホワイトリストを記憶し、
前記記録媒体から読み出された前記識別子に対応する前記回数特定値を、前記ホワイトリストから読み出し、当該回数特定値と前記記録媒体から読み出された前記設定値とが等しい場合には、有効を示す情報を前記記録媒体に格納する、請求項７に記載の方法。
【請求項９】
前記リストとして、さらに、前記記録媒体の前記回数特定値と前記識別子とを対応付けたブラックリストを記憶し、
前記記録媒体から読み出された前記識別子に対応する前記回数特定値を、前記ブラックリストから読み出し、当該回数特定値と前記記録媒体から読み出された前記設定値と比較し、当該設定値が当該回数特定値より小さければ、前記記録媒体に格納された前記設定値を前記回数特定値で更新し、無効を示す前記有効性情報を前記記録媒体に格納する、請求項８に記載の方法。
【請求項１０】
さらに、無効にされた前記記録媒体の前記識別子を取得して、当該識別子と前記回数特定値とを対応付けて前記ブラックリストの原本に追加し、有効にされた前記記録媒体の前記識別子を取得して、当該識別子と前記回数特定値とを対応付けて前記ホワイトリストの原本に追加し、前記ブラックリストおよび前記ホワイトリストの原本を配信するサーバ装置から配信された前記ブラックリストおよびホワイトリストを受信して、記憶する、請求項９に記載の方法。
【請求項１１】
さらに、前記記録媒体から読みとられた前記有効性情報に基づき、有効であれば所定処理を実行し、無効であれば実行しない、請求項７乃至１０の何れかに記載の方法。
【請求項１２】
記録媒体から読み出された識別子に対応する回数特定値を、記憶するホワイトリストから読み出し、前記記録媒体から読み出された設定値と比較し、前記設定値と前記回数特定値が等しい場合には、有効を示す前記有効性情報を前記記録媒体に格納する有効化処理と所定処理を実行する端末装置と接続し、
無効にされた前記記録媒体の前記識別子対応に前記回数特定値を回数記憶手段に記憶し、
前記ホワイトリストの原本、および、前記記録媒体の前記回数特定値と前記識別子とを対応付けたブラックリストの原本を記憶し、
無効にされた前記記録媒体の前記識別子を入力されると、入力された前記識別子対応に前記回数記憶手段に格納されている前記回数特定値を進めて、進められた値を、入力された前記識別子に対応する前記回数特定値として、前記ブラックリストの原本に追加し、
有効に戻された前記記録媒体の前記識別子を入力されると、入力された前記識別子対応の前記回数特定値を、前記ホワイトリストの原本に追加し、
前記ホワイトリストの原本を前記端末装置に配信する、方法。
【請求項１３】
コンピュータに、請求項７乃至１２の何れかに記載の方法を実行させるプログラムを記憶した記録媒体。
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
識別子、有効または無効を示す有効性情報、および、設定値を格納する記録媒体の回数特定値と前記識別子とを対応付けたリストを格納するリスト記憶手段と、
前記記録媒体から読み出された前記識別子に対応する前記回数特定値を前記リストから読み出し、当該回数特定値と前記記録媒体から読み出された前記設定値とを比較した結果に基づいて、有効又は無効を示す前記有効性情報を前記記録媒体に格納する有効化処理手段と、を備える端末装置。
【請求項２】
前記リスト記憶手段は、前記リストとして、前記記録媒体の前記回数特定値と前記識別子とを対応付けたホワイトリストを包含し、
前記有効化処理手段は、
前記記録媒体から読み出された前記識別子に対応する前記回数特定値を、前記ホワイトリストから読み出し、当該回数特定値と前記記録媒体から読み出された前記設定値とが等しい場合には、有効を示す情報を前記記録媒体に格納する、請求項１に記載の端末装置。
【請求項３】
前記リスト記憶手段は、前記リストとして、さらに、前記記録媒体の前記回数特定値と前記識別子とを対応付けたブラックリストを包含し、
前記有効化処理手段は、
前記記録媒体から読み出された前記識別子に対応する前記回数特定値を、前記ブラックリストから読み出し、当該回数特定値と前記記録媒体から読み出された前記設定値と比較し、当該設定値が当該回数特定値より小さければ、前記記録媒体に格納された前記設定値を前記回数特定値で更新し、無効を示す前記有効性情報を前記記録媒体に格納する、請求項２に記載の端末装置。
【請求項４】
無効にされた前記記録媒体の前記識別子を取得して、当該識別子と前記回数特定値とを対応付けて前記ブラックリストの原本に追加し、有効にされた前記記録媒体の前記識別子を取得して、当該識別子と前記回数特定値とを対応付けて前記ホワイトリストの原本に追加し、前記ブラックリストおよび前記ホワイトリストの原本を配信するサーバ装置に接続され、
前記サーバ装置から配信された前記ブラックリストおよびホワイトリストを受信して、前記リスト記憶手段に格納する受信手段を、更に備える、請求項３に記載の端末装置。
【請求項５】
前記記録媒体から読みとられた前記有効性情報に基づき、有効であれば所定処理を実行し、無効であれば実行しない、処理手段を更に備える、請求項１乃至４の何れかに記載の端末装置。
【請求項６】
記録媒体から読み出された識別子に対応する回数特定値を、記憶するホワイトリストから読み出し、前記記録媒体から読み出された設定値と比較し、前記設定値と前記回数特定値が等しい場合には、有効を示す前記有効性情報を前記記録媒体に格納する有効化処理と所定処理を実行する端末装置に接続され、
無効にされた前記記録媒体の前記識別子対応に前記回数特定値を格納する回数記憶手段と、
前記ホワイトリストの原本、および、前記記録媒体の前記回数特定値と前記識別子とを対応付けたブラックリストの原本を格納するリストマスタ記憶手段と、
無効にされた前記記録媒体の前記識別子を入力されると、入力された前記識別子対応に前記回数記憶手段に格納されている前記回数特定値を進めて、進められた値を、入力された前記識別子に対応する前記回数特定値として、前記ブラックリストの原本に追加し、
有効に戻された前記記録媒体の前記識別子を入力されると、入力された前記識別子対応の前記回数特定値を、前記ホワイトリストの原本に追加する追加手段と、
前記ホワイトリストの原本を前記端末装置に配信するリスト配信手段と、を備えるサーバ装置。
【請求項７】
識別子、有効または無効を示す有効性情報、および、設定値を格納する記録媒体の回数特定値と前記識別子とを対応付けたリストを記憶し、
前記記録媒体から読み出された前記識別子に対応する前記回数特定値を前記リストから読み出し、当該回数特定値と前記記録媒体から読み出された前記設定値とを比較した結果に基づいて、有効又は無効を示す前記有効性情報を前記記録媒体に格納する、方法。
【請求項８】
前記リストとして、前記記録媒体の前記回数特定値と前記識別子とを対応付けたホワイトリストを記憶し、
前記記録媒体から読み出された前記識別子に対応する前記回数特定値を、前記ホワイトリストから読み出し、当該回数特定値と前記記録媒体から読み出された前記設定値とが等しい場合には、有効を示す情報を前記記録媒体に格納する、請求項７に記載の方法。
【請求項９】
前記リストとして、さらに、前記記録媒体の前記回数特定値と前記識別子とを対応付けたブラックリストを記憶し、
前記記録媒体から読み出された前記識別子に対応する前記回数特定値を、前記ブラックリストから読み出し、当該回数特定値と前記記録媒体から読み出された前記設定値と比較し、当該設定値が当該回数特定値より小さければ、前記記録媒体に格納された前記設定値を前記回数特定値で更新し、無効を示す前記有効性情報を前記記録媒体に格納する、請求項８に記載の方法。
【請求項１０】
さらに、無効にされた前記記録媒体の前記識別子を取得して、当該識別子と前記回数特定値とを対応付けて前記ブラックリストの原本に追加し、有効にされた前記記録媒体の前記識別子を取得して、当該識別子と前記回数特定値とを対応付けて前記ホワイトリストの原本に追加し、前記ブラックリストおよび前記ホワイトリストの原本を配信するサーバ装置から配信された前記ブラックリストおよびホワイトリストを受信して、記憶する、請求項９に記載の方法。
【請求項１１】
さらに、前記記録媒体から読みとられた前記有効性情報に基づき、有効であれば所定処理を実行し、無効であれば実行しない、請求項７乃至１０の何れかに記載の方法。
【請求項１２】
記録媒体から読み出された識別子に対応する回数特定値を、記憶するホワイトリストから読み出し、前記記録媒体から読み出された設定値と比較し、前記設定値と前記回数特定値が等しい場合には、有効を示す前記有効性情報を前記記録媒体に格納する有効化処理と所定処理を実行する端末装置と接続し、
無効にされた前記記録媒体の前記識別子対応に前記回数特定値を回数記憶手段に記憶し、
前記ホワイトリストの原本、および、前記記録媒体の前記回数特定値と前記識別子とを対応付けたブラックリストの原本を記憶し、
無効にされた前記記録媒体の前記識別子を入力されると、入力された前記識別子対応に前記回数記憶手段に格納されている前記回数特定値を進めて、進められた値を、入力された前記識別子に対応する前記回数特定値として、前記ブラックリストの原本に追加し、
有効に戻された前記記録媒体の前記識別子を入力されると、入力された前記識別子対応の前記回数特定値を、前記ホワイトリストの原本に追加し、
前記ホワイトリストの原本を前記端末装置に配信する、方法。
【請求項１３】
コンピュータに、請求項７乃至１２の何れかに記載の方法を実行させるプログラム。
【国際調査報告】
2015037192.tif 000017
2015037192.tif 000018